(57)【要約】【課題】  灯油ポリ容器の一方のキャップに取り替えて装着して使用することで、給油ポンプの後片付けを不要とし、作業に伴う灯油の垂れや手が灯油で汚れることがなく、快適な作業を可能とするポンプ装置を提案する。【解決手段】  灯油ポリ容器１内の灯油に浸漬する吸上管１０と、暖房器具等のタンクへ灯油を吐出する吐出ホース２０から成り、灯油ポリ容器１のキャップと代替可能なキャップ３０を吸上管１０が貫通してキャップ３０と一体とし、灯油ポリ容器１にキャップ３０を装着して吸上管１０の先端が灯油ポリ容器１内の底部に到達し、キャップ３０に、給油作業後の吐出ホース２０を挿通する開口３１を設け、吐出ホース２０を保持して開口３１が密閉されるように構成する。【選択図】  図１
2008184958.tif 000002
【特許請求の範囲】
【請求項１】
灯油ポリ容器１内の灯油に浸漬する吸上管１０と、暖房器具等のタンクへ灯油を吐出する吐出ホース２０から成り、
灯油ポリ容器１のキャップと代替可能なキャップ３０を吸上管１０が貫通してキャップ３０と一体とし、灯油ポリ容器１にキャップ３０を装着して吸上管１０の先端が灯油ポリ容器１内の底部に到達し、
キャップ３０に、給油作業後の吐出ホース２０を挿通する開口３１を設け、吐出ホース２０を保持して開口３１が密閉されるように構成した灯油ポリ容器用のポンプ装置。
【発明の詳細な説明】
【技術分野】
【０００１】
この発明は、灯油ポリ容器から暖房器具等のタンクへ給油するための手押し又は電動のポンプ装置に関するものである。
【背景技術】
【０００２】
灯油を燃料とする石油ファンヒーターや石油ストーブ等の暖房器具への給油は、灯油を貯留したポリ容器から暖房器具のカートリッジ式タンクへ、手押しポンプ又は電動ポンプ等の給油ポンプを用いて行われている。灯油ポリ容器は灯油の変質を防ぐために赤や青に着色され、可搬性から容量１８リットルのものが標準的である。また、給油ポンプは、灯油ポリ容器内の灯油に浸漬する吸上管と、暖房器具等のタンクへ灯油を吐出する吐出ホースから成り、サイホン原理で給油する安価な手押しポンプが広く用いられ、乾電池を電源とするポンプを備えた電動のものも用いられている。
【０００３】
一方、こうした給油ポンプによる給油作業において、灯油の垂れ、灯油の揮発による灯油臭、手が灯油で汚れること、灯油で濡れた給油ポンプの保管等の課題がある。これらの課題を解決する手段として、実開平６−６３００号公報（特許文献１）に記載の給油装置が提案されている。しかし、この給油装置は部品点数が多く、取り扱いも不便で商品化の価値が低いものである。
【特許文献１】実開平６−６３００号公報
【発明の開示】
【発明が解決しようとする課題】
【０００４】
この発明は、灯油ポリ容器の一方のキャップに取り替えて装着して使用することで、給油ポンプの後片付けを不要とし、作業に伴う灯油の垂れや手が灯油で汚れることがなく、快適な作業を可能とするポンプ装置を提案するものである。また、灯油ポリ容器のキャップに代替する一つの部品から成る製品として製作され、取り扱いに優れるととともに、極めて商品価値の高い灯油ポリ容器用のポンプ装置を提案するものである。
【課題を解決するための手段】
【０００５】
こうした目的を達成するため、この発明の灯油ポリ容器用のポンプ装置は、灯油ポリ容器１内の灯油に浸漬する吸上管１０と、暖房器具等のタンクへ灯油を吐出する吐出ホース２０から成り、灯油ポリ容器１のキャップと代替可能なキャップ３０を吸上管１０が貫通してキャップ３０と一体とし、灯油ポリ容器１にキャップ３０を装着して吸上管１０の先端が灯油ポリ容器１内の底部に到達し、キャップ３０に、給油作業後の吐出ホース２０を挿通する開口３１を設け、吐出ホース２０を保持して開口３１が密閉されるように構成するものである。
【発明の効果】
【０００６】
この発明の灯油ポリ容器用のポンプ装置は、灯油ポリ容器のキャップに取り替えてキャップ３０を装着して使用し、給油作業後の吐出ホース２０を開口３１に挿通して保持するもので、ポンプ装置の後片付けが不要であり、キャップ３０を装着したままの使用であるから、作業に伴う灯油の垂れや手が灯油で汚れることがなく、快適な給油作業が可能である。
【０００７】
また、給油時には開口３１により灯油ポリ容器１内は大気と連通して大気圧となり、サイホン原理で容易に給油することができ、給油作業後に吐出ホース２０を開口３１に挿通して保持し、吐出ホース２０内の残余の灯油は灯油ポリ容器１内へ戻されるとともに、開口３１が密閉されるので灯油の揮発を防ぐことができ、安全であるとともに周囲に灯油臭が漏れることもない。
【０００８】
また、この発明の灯油ポリ容器用のポンプ装置は、吸上管１０がキャップ３０を貫通して一体とし、灯油ポリ容器のキャップに代替する一つの部品から成る製品として製作され、キャップを取り替えるだけであるから取り扱いに優れる等、極めて実用的で商品価値の高いものである。
【発明を実施するための最良の形態】
【０００９】
以下にこの発明を実施するための最良の形態について、図面を用いて説明する。
図１〜４は、この発明の最初の実施例で、ポンプ装置の全体は図１に示すように構成される。図に示すように、このポンプ装置の基本的構成は、灯油ポリ容器１内の灯油に浸漬する吸上管１０と、暖房器具等のタンクへ灯油を吐出する吐出ホース２０から成り、手押部４０を手押ししてサイホン原理で給油する樹脂製の手押しポンプである。このポンプ装置には、灯油ポリ容器１の一方の開口にそのまま装着可能なキャップ３０が設けられ、本例は、標準的な容量１８リットルの灯油ポリ容器１の開口φ５０ｍｍに適合するものである。
【００１０】
吸上管１０はキャップ３０を貫通し、キャップ３０と接合して一体とされている。吸上管１０の下端開口に延長管１２が挿通されて延長され、延長管１２には蛇腹部１３が設けられている。延長管１２は昇降スライド自在とされ、灯油ポリ容器１にキャップ３０を装着した時に、延長管１２がその延長量を調整し、蛇腹部１３が自在に撓むことで、延長管１２の先端すなわち吸上管１０の先端が灯油ポリ容器１内の底部に到達し、底部に貯留する灯油を給油可能としている。
【００１１】
キャップ３０には、給油作業後の吐出ホース２０を挿通する開口３１が設けられ、この開口３１の周縁に円筒３２が形成されている。吐出ホース２０は全体又は部分的に蛇腹状に形成され、吐出ホース２０の下半の適宜の位置に、ゴム等の軟質材で開口３１を塞ぐための栓部材２２が、吐出ホース２０を被覆して設けられている。この栓部材２２は、着脱を容易とするとともに、開口３１を塞いだ場合に密閉性を確保するために、下方に従って経を細めたテーパー状とされている。
【００１２】
図３に、このポンプ装置による給油の状態を示す。図に示すように、灯油ポリ容器１の一方の開口のキャプを取り外し、このポンプ装置のキャップ３０を装着し、暖房器具等のタンク３の口金４へ吐出ホース２０を挿通して給油する。開口３１により灯油ポリ容器１内は大気と連通して大気圧となり、サイホン原理で容易に給油することができる。
【００１３】
図４に、このポンプ装置の給油作業後の状態を示す。図に示すように、ポンプ装置のキャップ３０は灯油ポリ容器１の開口に装着したままの状態で、吐出ホース２０を開口３１に挿通し、栓部材２２を円筒３２に嵌合して開口３１を閉塞する。このように、吐出ホース２０を保持して開口３１が密閉され、吐出ホース２０内の残余の灯油は灯油ポリ容器１内へ戻される。以上のように、栓部材２２を持って吐出ホース２０を開口３１から着脱して給油作業を行うことができ、灯油で手が汚れることがない。
【００１４】
図５〜９は、この発明の他の実施例で、ポンプ装置の全体は図５に示すように構成される。図に示すように、このポンプ装置の基本的構成も吸上管１０と吐出ホース２０から成る手押しポンプであり、灯油ポリ容器１の一方の開口にそのまま装着可能なキャップ３０が設けられ、吸上管１０がキャップ３０を貫通し、キャップ３０と接合して一体とされている。
【００１５】
キャップ３０には、同じく吐出ホース２０を挿通する開口３１が設けられ、この開口３１には上方斜めに延びる筒部３４が形成されている。筒部３４は、キャップ３０と一体成形する他、開口３１に所定形状の筒体（管体）を接合して形成する。吐出ホース２０の下半の適宜の位置に、筒部３４の開口端を覆って塞ぐための蓋部材２５が、吐出ホース２０の外周面に接合して設けられている。この蓋部材２５は図７に示すように硬質材で形成され、蓋内頂部にシール材２７が設けられ、内周面に凸条２６が形成されていて、この凸条２６に係合する凹溝３５が筒部３４の外周面に形成されている。
【００１６】
図８に、このポンプ装置による給油の状態を示す。図に示すように、灯油ポリ容器１の一方の開口のキャプを取り外し、このポンプ装置のキャップ３０を装着し、暖房器具等のタンク３の口金へ吐出ホース２０を挿通して給油する。図示のごとく、蓋部材２５が口金４を覆う状態である。前例と同じく、開口３１によりタンク内は大気と連通して大気圧となり、サイホン原理で容易に給油することができる。
【００１７】
図９に、このポンプ装置の給油作業後の状態を示す。図に示すように、ポンプ装置のキャップ３０は灯油ポリ容器１の開口に装着したままの状態で、吐出ホース２０を開口３１に挿通し、凸条２６を凹溝３５に係止して蓋部材２５で筒部３４開口端を覆い、開口３１を閉塞する。ここで、シール材２７に筒部３４開口端が当接して開口３１が密閉され、吐出ホース２０内の残余の灯油は灯油ポリ容器１内へ戻される。なお、蓋部材２５の着脱を容易とするため、凹溝３５は筒部３４の外周に亘って形成するが、これに係合する凸条２６は、蓋部材２５の内周面に亘らずに、例えば周に沿って３〜４カ所の位置等の部分的に設けてもよい。以上のように、蓋部材２５を持って吐出ホース２０を開口３１から着脱して給油作業を行うことができ、灯油で手が汚れることがない。
【００１８】
以上、実施例について説明したが、この発明はこれらに限定されるものではない。ポンプ装置として乾電池を電源とする電動ポンプを用いることもでき、給油作業後の吐出ホース２０を保持して開口３１を密閉する手段、構造として様々なものが適用可能である。
【図面の簡単な説明】
【００１９】
【図１】この発明の最初の実施例で、その全体構成図。
【図２】キャップの断面図。
【図３】給油の状態を示す説明図。
【図４】給油作業後の状態を示す説明図。
【図５】この発明の他の実施例で、その全体構成図。
【図６】キャップの断面図。
【図７】蓋部材の断面図。
【図８】給油の状態を示す説明図。
【図９】給油作業後の状態を示す説明図。
【符号の説明】
【００２０】
１  灯油ポリ容器
１０  吸上管
２０  吐出ホース
３０  キャップ
３１  開口
【図１】
2008184958.tif 000003
【図２】
2008184958.tif 000004
【図３】
2008184958.tif 000005
【図４】
2008184958.tif 000006
【図５】
2008184958.tif 000007
【図６】
2008184958.tif 000008
【図７】
2008184958.tif 000009
【図８】
2008184958.tif 000010
【図９】
2008184958.tif 000011